(57)【特許請求の範囲】
【請求項１】
画面表示を伴うアプリケーションソフトウェアプログラムを動作しているＰＣと、このＰＣより離れて配置される複数のタッチパネル付きディスプレイを備え、前記ＰＣのアプリケーションソフトウェアプログラムにより形成された同一の画面を、通信回線を介して前記各タッチパネル付きディスプレイにそれぞれ表示させるＰＣ画像配信設備であって、
前記ＰＣおよび前記通信回線に接続され、前記ＰＣから出力された前記同一画面の画像アナログデータを画像ディジタルデータに変換して、前記通信回線を介して前記各タッチパネル付きディスプレイへ配信する送信機を備え、
前記各タッチパネル付きディスプレイ毎に、前記通信回線およびタッチパネル付きディスプレイに接続され、前記送信機より通信回線を介して配信された画像ディジタルデータを画像アナログデータに変換して前記ディスプレイへ出力する機能を有し、接続される前記タッチパネル付きディスプレイのタッチパネルの各タッチ座標データをそれぞれ、タッチパネル付きディスプレイの画面上の座標データに調整するキャリブレーションデータが予め設定された受信機を備え、
前記各タッチパネルのタッチ座標データは、前記各受信機に予め設定されたキャリブレーションデータに基づいて前記タッチパネル付きディスプレイの画面上の座標データに調整され、この調整済みタッチ座標データは、前記ＰＣのアプリケーションソフトウェアプログラムの操作データとして認識されること
を特徴とするＰＣ画像配信設備。
【請求項２】
前記各受信機は、接続される前記タッチパネルのタッチ座標データを入力すると、このタッチ座標データを、前記キャリブレーションデータに基づいて前記タッチパネル付きディスプレイの画面上の座標データに調整し、この調整済みタッチ座標データを前記通信回線及び送信機を介して前記ＰＣへ送信すること
を特徴とする請求項１に記載のＰＣ画像配信設備。
【請求項３】
前記各受信機は、接続される前記タッチパネルのタッチ座標データを入力すると、このタッチ座標データに対応する前記キャリブレーションデータを求め、この求めたキャリブレーションデータを前記タッチ座標データと対にして前記送信機へ送信し、
前記送信機は、受信したキャリブレーションデータに基づいて、受信したタッチ座標データを前記タッチパネル付きディスプレイの画面上の座標データに調整し、この調整済みタッチ座標データを前記ＰＣへ送信すること
を特徴とする請求項１に記載のＰＣ画像配信設備。
【請求項４】
前記ＰＣは、起動時に、各受信機に設定されたキャリブレーションデータを前記通信回線及び送信機を介して前記ＰＣ内に格納し、
前記各受信機は、接続された前記タッチパネルのタッチ座標データを入力すると、このタッチ座標データを前記通信回線及び送信機を介して前記ＰＣへ送信し、
前記ＰＣは、各受信機より受信したタッチ座標データにより、前記格納したキャリブレーションデータの中から、対応するキャリブレーションデータを求め、求めたキャリブレーションデータに基づいて前記タッチ座標データを前記タッチパネル付きディスプレイの画面上の座標データに調整し、この調整済みタッチ座標データを、前記アプリケーションソフトウェアプログラムの操作データとして認識すること
を特徴とする請求項１に記載のＰＣ画像配信設備。
【請求項５】
前記各受信機毎または送信機またはＰＣに、前記各タッチパネル付きディスプレイから入力される前記タッチ座標データが、有効か無効かが予め設定され、有効なときのみ、前記調整済みタッチ座標データは前記アプリケーションソフトウェアプログラムの操作データとして認識されること
を特徴とする請求項１〜請求項４のいずれかに記載のＰＣ画像配信設備。
【請求項６】
前記ＰＣにおいて動作されるアプリケーションソフトウェアプログラムにより、前記各タッチパネル付きディスプレイから入力される前記タッチ座標データが、有効か無効かが設定され、有効なときのみ、前記調整済みタッチ座標データは前記アプリケーションソフトウェアプログラムの操作データとして認識されること
を特徴とする請求項１〜請求項４のいずれかに記載のＰＣ画像配信設備。
【発明の詳細な説明】
【技術分野】
【０００１】
本発明は、１台のＰＣ（パソコン）により形成された画像を、離れた１台または複数のディスプレイ（モニター）へ表示できるように配信するＰＣ画像配信設備に関するものである。
【背景技術】
【０００２】
従来の上記ＰＣ画像配信設備の一例が、特許文献１に開示されている。
特許文献１には、複数の画像データを記憶し、モニター（液晶ディスプレイ）が接続された１台のＰＣと、モニターとタッチパネルから構成された複数の表示装置を設け、前記１台のＰＣに前記複数の表示装置をそれぞれ分配器により接続し、表示装置のタッチパネルの操作により選択されたＰＣの画像データ（ＰＣに記憶されている画像）をＰＣより配信し、全てのモニターに表示させる会議システムが開示されている。
【０００３】
また前記ＰＣには、初期画面の画像データ、会議の複数の発表者が予め入力する発表内容の画像データ（原稿や図表などのデータ）、画像データに付加する付加画像データ（「票決」の結果を示す画像データなど）を記憶する画像メモリと、この画像メモリに記憶された複数の画像データから画像データを選択するＣＰＵと、ＣＰＵの指令にしたがって選択した画像データを出力する画像コントローラが設けられており、ＰＣには実際に画像データを送信するために送信用ソフトウェアがインストールされている。
【０００４】
またＰＣ画像配信設備として、１台のＰＣから専用線を介してビデオ信号（アナログ信号）を複数のディスプレイへ配信するビデオ配信システムが有る。
【特許文献１】特開２０００−２３１２８号公報
【発明の開示】
【発明が解決しようとする課題】
【０００５】
従来の会議システムでは、各表示装置のタッチパネルの操作信号により選択されたＰＣの画面データがＰＣより配信され、全てのディスプレイに表示されるが、各表示装置のディスプレイとタッチパネルの組み付けは各表示装置により少しずつ異なることにより、タッチパネルの同じ位置の操作でも画面上とは異なる操作信号がＰＣへ出力され、操作の意図に反した動作がＰＣで実行される恐れがあった。このような会議システムを生産システムに応用した場合、各表示装置から意図しない操作信号がＰＣへ入力されると、生産全体に悪影響が波及する恐れが生じる。
【０００６】
また従来のビデオ配信システムでは、送信される信号がビデオ信号（アナログ信号）であるために、配信する距離に限界があり、また配信する距離が長くなると信号が劣化するという問題があり、その結果、接続できるディスプレイの台数に制限があり、自由にディスプレイの台数を増やすことができないという問題があった。
【０００７】
そこで、本発明は、１台のＰＣに、ディスプレイとタッチパネルからなる複数の表示装置を接続したとき、ＰＣは各タッチパネルから入力したタッチ座標データを各ディスプレイ上の座標に合わせて正確に認識でき、さらに距離を考慮することなく、且つ接続できるディスプレイの台数に制限がなく、ＰＣより離れた複数台のディスプレイに画面データ（ディスプレイ用画面データ）を配信できるＰＣ画像配信設備を提供することを目的としたものである。
【課題を解決するための手段】
【０００８】
前述した目的を達成するために、本発明のうち請求項１に記載の発明は、画面表示を伴うアプリケーションソフトウェアプログラムを動作しているＰＣと、このＰＣより離れて配置される複数のタッチパネル付きディスプレイを備え、前記ＰＣのアプリケーションソフトウェアプログラムにより形成された同一の画面を、通信回線を介して前記各タッチパネル付きディスプレイにそれぞれ表示させるＰＣ画像配信設備であって、
前記ＰＣおよび前記通信回線に接続され、前記ＰＣから出力された前記同一画面の画像アナログデータを画像ディジタルデータに変換して、前記通信回線を介して前記各タッチパネル付きディスプレイへ配信する送信機を備え、前記各タッチパネル付きディスプレイ毎に、前記通信回線およびタッチパネル付きディスプレイに接続され、前記送信機より通信回線を介して配信された画像ディジタルデータを画像アナログデータに変換して前記ディスプレイへ出力する機能を有し、接続される前記タッチパネル付きディスプレイのタッチパネルの各タッチ座標データをそれぞれ、タッチパネル付きディスプレイの画面上の座標データに調整するキャリブレーションデータが予め設定された受信機を備え、前記各タッチパネルのタッチ座標データは、前記各受信機に予め設定されたキャリブレーションデータに基づいて前記タッチパネル付きディスプレイの画面上の座標データに調整され、この調整済みタッチ座標データは、前記ＰＣのアプリケーションソフトウェアプログラムの操作データとして認識されることを特徴とするものである。
【０００９】
上記構成によれば、ＰＣに送信機を接続し、送信機を通信回線に接続し、各受信機を通信回線に接続し、各受信機にそれぞれタッチパネル付きディスプレイを接続するだけで、ＰＣにおいて形成された画面が、各タッチパネル付きディスプレイに表示される。このようにハード的に接続するだけで、直ぐにＰＣにおいて形成された同一の画面が、複数台のディスプレイに表示される。また送信機を備えることにより、ＰＣに画像データを送信するためのソフトウェアのインストールおよび設定を行う必要がなくなり、よって設備を構築するときＰＣの動作環境を考慮する必要を無くすことができる。さらに複数台のディスプレイに画像データを配信する際に、画像データの送信処理は送信機が行い、ＰＣ（ＣＰＵ）は送信処理を実行しないため、ＰＣに負荷が掛かることはなく、ＰＣの処理速度が低下することを防止することができる。また画像アナログデータを、画像ディジタルデータに変換して配信することにより、従来５ｍ程度しか延長できなかった、ＰＣとタッチパネル付きディスプレイとの間の距離を、１００ｍ程度まで延長でき、デイジーチェーン機能やＨＵＢを使用することにより無制限に延長することができ、また１台しか接続できなかったディスプレイを制限なく接続することが可能となる。
【００１０】
またＰＣが各タッチパネル付きディスプレイのタッチパネルのタッチ座標データをアプリケーションソフトウェアプログラムの操作データと認識することにより、ＰＣから離れたところに設置したタッチパネル付きディスプレイのタッチパネルの操作を行うことで、多数の人が１台のＰＣを操作することができる。またタッチパネルのタッチ座標データがキャリブレーションデータに基づいてタッチパネル付きディスプレイの画面上の座標データに調整されることにより、タッチパネル付きディスプレイのタッチパネルのタッチされた座標は正確に操作データとして認識され、誤った操作データによりアプリケーションソフトウェアプログラムが動作されることが回避される。
【００１１】
また請求項２に記載の発明は、請求項１に記載の発明であって、前記各受信機は、接続される前記タッチパネルのタッチ座標データを入力すると、このタッチ座標データを、前記キャリブレーションデータに基づいて前記タッチパネル付きディスプレイの画面上の座標データに調整し、この調整済みタッチ座標データを前記通信回線及び送信機を介して前記ＰＣへ送信することを特徴とするものである。
【００１２】
上記構成によれば、受信機において、タッチパネルのタッチ座標データをキャリブレーションデータに基づいてタッチパネル付きディスプレイの画面上の座標データに調整することにより（タッチパネルのキャリブレーションを行うことにより）、ＰＣにおいてキャリブレーションを行う必要なく、タッチパネル付きディスプレイのタッチパネルのタッチされた座標を正確に操作データとして認識でき、誤った操作データによりアプリケーションソフトウェアプログラムが動作されることが回避される。またＰＣは、どこのタッチパネル付きディスプレイから入力した操作データかを認識しなくて済み、さらにタッチパネル付きディスプレイに取り付けられるタッチパネルのメーカや機種が違って混在しても、ＰＣの動作に影響がでることが回避される。
【００１３】
また請求項３に記載の発明は、請求項１に記載の発明であって、前記各受信機は、接続される前記タッチパネルのタッチ座標データを入力すると、このタッチ座標データに対応する前記キャリブレーションデータを求め、この求めたキャリブレーションデータを前記タッチ座標データと対にして前記送信機へ送信し、
前記送信機は、受信したキャリブレーションデータに基づいて、受信したタッチ座標データを前記タッチパネル付きディスプレイの画面上の座標データに調整し、この調整済みタッチ座標データを前記ＰＣへ送信することを特徴とするものである。
【００１４】
上記構成によれば、受信機において入力されたタッチ座標データのキャリブレーションデータが求められ、タッチ座標データおよび求めたキャリブレーションデータが対とされて送信機へ送信され、送信機において、受信されたキャリブレーションデータに基づいて、受信されたタッチ座標データがキャリブレーションされ、ＰＣへ出力される。このように、送信機において、各タッチパネル付きディスプレイのタッチパネルのタッチ座標データがキャリブレーションされることにより、ＰＣにおいてキャリブレーションを行う必要がなくなり、また各タッチパネル付きディスプレイのタッチパネルから入力したタッチ座標データは各ディスプレイ上の座標に合わせて正確に認識される。またＰＣは、どこのタッチパネル付きディスプレイから入力した操作データかを認識しなくて済み、さらにタッチパネル付きディスプレイに取り付けられるタッチパネルのメーカや機種が違って混在しても、ＰＣの動作に影響がでることが回避される。さらに受信機の構成は簡略化される。
【００１５】
また請求項４に記載の発明は、請求項１に記載の発明であって、前記ＰＣは、起動時に、各受信機に設定されたキャリブレーションデータを前記通信回線及び送信機を介して前記ＰＣ内に格納し、前記各受信機は、接続された前記タッチパネルのタッチ座標データを入力すると、このタッチ座標データを前記通信回線及び送信機を介して前記ＰＣへ送信し、前記ＰＣは、各受信機より受信したタッチ座標データにより、前記格納したキャリブレーションデータの中から、対応するキャリブレーションデータを求め、求めたキャリブレーションデータに基づいて前記タッチ座標データを前記タッチパネル付きディスプレイの画面上の座標データに調整し、この調整済みタッチ座標データを、前記アプリケーションソフトウェアプログラムの操作データとして認識することを特徴とするものである。
【００１６】
上記構成によれば、ＰＣには起動時に各受信機に設定されたキャリブレーションデータが格納され、ＰＣにおいて、受信機において入力されたタッチ座標データは、格納されたキャリブレーションデータに基づいてキャリブレーションされる。このように、ＰＣに起動時に各受信機に設定されたキャリブレーションデータが格納されることにより、ＰＣに各タッチパネル付きディスプレイのタッチパネルのタッチ座標データのキャリブレーションデータを予め設定する必要がなくなり、ＰＣを取り替えることになっても作業者の手間が省かれる。また各受信機の構成は簡略化される。
【００１７】
また請求項５に記載の発明は、請求項１〜請求項４のいずれかに記載の発明であって、前記各受信機毎または送信機またはＰＣに、前記各タッチパネル付きディスプレイから入力される前記タッチ座標データが、有効か無効かが予め設定され、有効なときのみ、前記調整済みタッチ座標データは前記アプリケーションソフトウェアプログラムの操作データとして認識されることを特徴とするものである。
【００１８】
上記構成によれば、各受信機または送信機またはＰＣにタッチ座標データが有効か無効かが予め設定され、有効と設定されているとき、調整済みタッチ座標データは前記アプリケーションソフトウェアプログラムの操作データとして認識される。よって無効のとき、タッチパネル付きディスプレイのタッチパネルを操作しても、アプリケーションソフトプログラムは何ら応答せず、誤操作による動作が防止される。
【００１９】
また請求項６に記載の発明は、請求項１〜請求項４のいずれかに記載の発明であって、前記ＰＣにおいて動作されるアプリケーションソフトウェアプログラムにより、前記各タッチパネル付きディスプレイから入力される前記タッチ座標データが、有効か無効かが設定され、有効なときのみ、前記調整済みタッチ座標データは前記アプリケーションソフトウェアプログラムの操作データとして認識されることを特徴とするものである。
【００２０】
上記構成によれば、アプリケーションソフトウェアプログラムに応じて各受信機におけるタッチ座標データが有効か無効かが設定され、有効なときのみ、前記調整済みタッチ座標データは前記アプリケーションソフトウェアプログラムの操作データとして認識される。よって無効のとき、タッチパネル付きディスプレイのタッチパネルを操作しても、アプリケーションソフトプログラムは何ら応答せず、誤操作による動作が防止される。
【発明の効果】
【００２１】
本発明のＰＣ画像配信設備は、ＰＣが各タッチパネル付きディスプレイのタッチパネルのタッチ座標データをアプリケーションソフトウェアプログラムの操作データと認識することにより、ＰＣから離れたところに設置したタッチパネル付きディスプレイのタッチパネルの操作を行うことで、多数の人が１台のＰＣを操作することができ、このときタッチパネルのタッチ座標データがキャリブレーションデータに基づいてタッチパネル付きディスプレイの画面上の座標データに調整されることにより、タッチパネル付きディスプレイのタッチパネルのタッチされた座標を正確に操作データとして認識でき、誤った操作データによりアプリケーションソフトウェアプログラムが動作されることが回避できる、という効果を有している。
【発明を実施するための最良の形態】
【００２２】
以下、本発明の実施の形態を図面に基づいて説明する。
［実施の形態１］
図１は本発明の実施の形態１におけるＰＣ画像配信設備の構成図である。
【００２３】
ＰＣ画像送信側の機器として、画面表示を伴うアプリケーションソフトウェアプログラムを動作しているＰＣ１と、このＰＣ１用のディスプレイ２ａと、ＰＣ１用のマウス（またはキーボード）２ｂと、送信機３が配置され、またＰＣ画像受信側の機器として、複数のＰＣ画像表示エリア４毎に、受信機５と、タッチパネル付きディスプレイ６が配置され、送信機３とＰＣ画像表示エリア４毎の受信機５は、汎用の通信回線であるＬＡＮケーブル８とＨＵＢ（ハブ）９により接続されている。なお、送信機３と受信機５はともに送信および受信の機能を有している（後述する）が、送信側の機器として送信機３、受信側の機器として受信機５の名称を使用する。
【００２４】
ＰＣ画像送信側の接続は次のようにされている。
ＰＣ１のビデオコネクタ｛ＶＧＡコネクタまたはＤＶＩ（Digital Visual Interface）コネクタ；ディスプレイ出力用コネクタ｝１１と送信機３のＶＧＡコネクタ１２（またはＤＶＩコネクタ３８）がケーブル（例えばＶＧＡケーブル）１３により接続され、送信機３のモニターコネクタ（ＶＧＡコネクタまたはＤＶＩコネクタ）１４とディスプレイ２ａのモニターコネクタ（ＶＧＡコネクタまたはＤＶＩコネクタ）１５がケーブル（例えばＶＧＡケーブル）１６により接続され、さらにＰＣ１のＤ−ＳＵＢコネクタ１７と送信機３のＤ−ＳＵＢコネクタ１８が、ＲＳ-２３２Ｃケーブル１９により接続されている。またＰＣ１にマウス２ｂが接続され、送信機３のＬＡＮコネクタ２０に、前記ＬＡＮケーブル８が接続されている。
【００２５】
ＰＣ１は、画面表示を伴うアプリケーションソフトウェアプログラムを実行して（動作して）おり、このアプリケーションソフトウェアプログラムにより形成される画面がポイントされることによりこのポイント位置に表示されている画面上の指令をアプリケーションソフトウェアプログラムにより実行する。前記ポイントは、マウス２ｂのクリック操作による画面の位置データ、または後述する送信機３から入力するタッチ座標データにより指令される。タッチ座標データは、Ｄ−ＳＵＢコネクタ１７より入力される。
【００２６】
またＰＣ１は、アプリケーションソフトウェアプログラムにより形成される画面の画像アナログデータをビデオコネクタ１１からケーブル１３を介して送信機３へ出力している。
【００２７】
送信機３は、以下の３つの機能を有している。
（１）ＰＣ１から出力された画像アナログデータをケーブル１３を介してＶＧＡコネクタ１２より入力すると、入力した画像アナログデータをモニターコネクタ１４からケーブル１６を介してディスプレイ２ａへ出力し、画像を表示させる機能。ディスプレイ２ａへはモニターコネクタ１５より画像アナログデータが入力される。
【００２８】
（２）入力した画像アナログデータを画像ディジタルデータに変換して画像信号をＬＡＮコネクタ２０から送信し、ＬＡＮケーブル８とＨＵＢ（ハブ）９を介してＰＣ画像表示エリア４毎の受信機５（タッチパネル付きディスプレイ６）へ配信する機能。なお、送信機３は、前回の画像アナログデータより変化した部分だけの差分のデータを求め（あるいはさらに圧縮して）、ディジタル化して送信している。
【００２９】
（３）後述するＰＣ画像表示エリア４毎の受信機５からＬＡＮケーブル８とＨＵＢ（ハブ）９を介して送信されてくるタッチ座標データを、ＬＡＮコネクタ２０より受信すると、受信したタッチ座標データをＤ−ＳＵＢコネクタ１８より、ＲＳ-２３２Ｃケーブル１９を介してＰＣ１へ出力する機能。
【００３０】
またＰＣ画像受信側の接続は次のようにされている。
ＰＣ画像表示エリア４毎に、受信機５のモニターコネクタ（ＶＧＡコネクタ）２１（またはＤＶＩコネクタ５７）とタッチパネル付きディスプレイ６のモニターコネクタ（ＶＧＡコネクタまたはＤＶＩコネクタ）２２がケーブル（例えばＶＧＡケーブル）２３により接続され、受信機５のＤ−ＳＵＢコネクタ２４とタッチパネル付きディスプレイ６のＤ−ＳＵＢコネクタ２５が、ＲＳ-２３２Ｃケーブル２６により接続されている。また受信機５のＬＡＮコネクタ２７に、前記ＬＡＮケーブル８が接続されている。
【００３１】
前記タッチパネル付きディスプレイ６は、モニターコネクタ２２より受信機５より出力される画像アナログデータ（ＲＧＢ信号）を入力して画面を表示するディスプレイと、このディスプレイ上に組み付けられ、タッチされた位置のタッチ座標データ（タッチ座標信号；ＲＳ−２３２Ｃディジタル信号）をＤ−ＳＵＢコネクタ２５より送受信機５へ出力するタッチパネルから構成されている。
【００３２】
前記各受信機５は、図２に示すように、通信回線入出力部３１と、画像情報出力部３２と、タッチ情報入出力部３３と、座標位置変換部３４と、座標位置記憶部３５と、有効／無効設定部３６から構成されている。
【００３３】
前記通信回線入出力部３１は、送信機３との間でディジタルデータの送受信を行うＬＡＮコントローラに相当し、送信機３からＬＡＮコネクタ２７を介して画像ディジタルデータ（画像信号）を入力すると、画像情報出力部３２へ出力し、後述するタッチ情報入出力部３３よりタッチ座標データを入力すると、これをＬＡＮコネクタ２７を介して送信機３へ出力する。
【００３４】
また画像情報出力部３２は、通信回線入出力部３１より入力した画像ディジタルデータを画像アナログデータに変換し、その画像信号を、モニターコネクタ２１より出力し、ケーブル２３を介してタッチパネル付きディスプレイ６へ出力する。このとき、画像ディジタルデータは差分データで送信されてくるので、この差分データにより１画面分のデータを更新し、画像アナログデータに変換して出力する。
【００３５】
また座標位置記憶部３５には、予め位置ずれ情報として、タッチパネル付きディスプレイ６のタッチパネルの各タッチ座標データをそれぞれ、タッチパネル付きディスプレイ６の画面上の座標データに調整するキャリブレーションデータが設定されている。
【００３６】
また有効／無効設定部３６には、タッチパネル付きディスプレイ６から入力されるタッチパネルのタッチ座標データが有効か無効か、すなわちタッチパネル付きディスプレイ６のタッチパネルの操作を有効としてタッチ座標データをＰＣ１へ送信するのか、無効として送信しないかが予め設定されている。
【００３７】
またタッチ情報入出力部３３は、Ｄ−ＳＵＢコネクタ２４よりＲＳ-２３２Ｃケーブル２６を介してタッチパネル付きディスプレイ６よりタッチパネルのタッチ座標データを入力すると、前記有効／無効設定部３６に有効が設定されているとき、このタッチ座標データを座標位置変換部３４へ出力し、後述する座標位置変換部３４において調整された調整済タッチ座標データを通信回線入出力部３１へ出力する。
【００３８】
また座標位置変換部３４は、タッチ情報入出力部３３よりタッチパネル付きディスプレイ６のタッチパネルのタッチ座標データを入力すると、このタッチ座標データを座標位置記憶部３５より記憶されたキャリブレーションデータに基づいて、タッチパネル付きディスプレイ６の画面上の座標データに調整し（タッチパネルのキャリブレーションを行い）、調整済タッチ座標データをタッチ情報入出力部３３へ出力する。
【００３９】
上記構成により受信機５は、並列して実行される、以下の２つの機能を有している。
（１）図３（ａ）に示すように、送信機３から送信されてきた画像ディジタルデータを通信回線入出力部３１で受け、画像情報出力部３２において画像ディジタルデータを画像アナログデータに変換し、画像信号としてタッチパネル付きディスプレイ６へ出力し、ＰＣ１から送信された画面を表示する。
【００４０】
（２）図３（ｂ）に示すように、タッチ情報入出力部３３はタッチパネル付きディスプレイ６からタッチ座標データを入力しているかどうか確認し、確認すると、有効／無効設定部３６の設定によりタッチ座標データが有効かどうかを確認する。確認すると、座標位置変換部３４において、タッチ座標データを座標位置記憶部３５に記憶されたキャリブレーションデータに基づいてキャリブレーションを行い、調整済タッチ座標データを通信回線入出力部３１よりＰＣ１へ送信する。
【００４１】
上記構成による作用を説明する。
ＰＣ画面表示エリア４に、タッチパネル付きディスプレイ６を設置し、敷設されているＬＡＮケーブル８に受信機５を取り付け、受信機５とタッチパネル付きディスプレイ６を、ケーブル２３，２６により接続する。
【００４２】
また送信機３を敷設されているＬＡＮケーブル８に接続し、送信機３にＰＣ１をケーブル１３，１９により接続し、さらに送信機３にＰＣ１用のディスプレイ２ａをケーブル１６により接続する。
【００４３】
このように接続した後、ＰＣ１は、画像表示を伴うアプリケーションソフトウェアプログラムを実行して（動作して）、アプリケーションソフトウェアプログラムにより形成される画面の画像アナログデータを送信機３へ出力する。送信機３に取り込まれた画像アナログデータは、ＰＣ１用のディスプレイ２ａに出力され表示されるとともに画像ディジタルデータに変換され、送信機３より各ＰＣ画面表示エリア４（受信機５）へ配信される。このとき、ＰＣ１の外部にあるハードウェア（送信機３）により画像データの配信が実行されることにより、ＰＣ１には何ら負荷が掛かることはない。
【００４４】
各受信機５は受信した画像ディジタルデータを画像アナログデータへ変換し、このＰＣ画像表示エリア４のタッチパネル付きディスプレイ６に、ＰＣ１用のディスプレイ２ａに表示された画面と同一画面が表示される（配信される）。
【００４５】
またタッチパネル付きディスプレイ６のタッチパネルがタッチされると（例えば、画面の“スタート”位置がタッチされると）、タッチパネル付きディスプレイ６より、タッチされた位置のタッチ座標データ（タッチ座標信号；例えば“スタート”位置の座標データ）が受信機５へ出力され、受信機５は、入力したタッチ座標データが有効かどうかを確認し、有効なとき予め設定されたキャリブレーションデータに基づいてキャリブレーションを行い、調整済タッチ座標データを送信機３を介してＰＣ１へ送信する。ＰＣ１は、入力した調整済タッチ座標データによりポイントされるポイント位置が意味する指令（例えば、スタート指令）を操作データとして認識し、この操作データに応じてアプリケーションソフトウェアプログラムを実行する。このように、遠隔の各タッチパネル付きディスプレイ６それぞれにより１台のＰＣ１が操作される。このとき、タッチパネル付きディスプレイ６のタッチ座標データは、受信機５において、キャリブレーションされていることにより、送信機３とＰＣ１はタッチ座標データに対してキャリブレーションを行う必要はなく、ＰＣ１は、どこのタッチパネル付きディスプレイ６から入力したタッチ座標データ（操作データ）かを認識しなくてよい。
【００４６】
以上のように、本実施の形態１によれば、ＰＣ１に画像データを送るための送信用ソフトウェアをインストールする必要なく、また何ら設定する必要なく、ＰＣ１から出力されたディスプレイ用の同一画面をＬＡＮ経由で複数のタッチパネル付きディスプレイ６に表示させることができる。このように、ＰＣ１に送信用ソフトウェアのインストールおよび設定をする必要がなく、ソフトウェアが必要ないため、ＰＣ１の動作環境を選ぶ必要をなくすことができる。またＰＣ１は、画像を送信する処理を実行しないため、ＰＣ１（ＣＰＵ）に負荷を掛けることなく、さらに配信距離を考慮することなく、ＰＣ１より距離が離れた複数台のタッチパネル付きディスプレイ６に画像を表示させることができる。さらにアナログの画像データを、ディジタルデータに変換して配信することにより、従来５ｍ程度しか延長できなかった、ＰＣ１とタッチパネル付きディスプレイ６との間の距離を、１００ｍ程度まで延長でき、ＨＵＢ９を使用することにより無制限に延長することができ、また１台しか接続できなかったタッチパネル付きディスプレイ６を制限なく接続することができる。
【００４７】
また本実施の形態１によれば、１台のＰＣ１が、ＰＣ１から離れたところに設置した複数のタッチパネル付きディスプレイ６のタッチパネルのタッチ座標データで操作されることによって、遠隔から多数の人が１台のＰＣ１を操作することができる。このとき、タッチパネルのタッチ座標データがキャリブレーションデータに基づいてタッチパネル付きディスプレイ６の画面上の座標データに調整されることにより、タッチパネル付きディスプレイ６のタッチパネルのタッチされた座標を正確に操作データとして認識でき、誤った操作データによりアプリケーションソフトウェアプログラムが動作されることが回避できる。また各受信機５において、タッチパネルのタッチ座標データがキャリブレーションされることにより、送信機３とＰＣ１においてキャリブレーションを行う必要がなく、またＰＣ１は、どこのタッチパネル付きディスプレイ６から入力した操作データかを認識しなくて済み、さらにタッチパネル付きディスプレイ６に取り付けられるタッチパネルのメーカや機種が違って混在しても、ＰＣ１の動作に影響を与えることを回避することができる。またＰＣ１の故障や性能アップのためにＰＣ１を入れ替えることになっても、ＰＣ１にキャリブレーション設定動作を行う必要がないことから、メンテナンス性を向上させることができる。
【００４８】
また本実施の形態１によれば、各受信機５においてタッチ座標データをＰＣ１へ送信するのかしないのか予め設定されることにより、ＰＣ画像表示エリア４毎に、タッチパネル付きディスプレイ６のタッチパネルの操作を有効とするのか、無効とするのかを設定でき、よって無効とされるタッチパネル付きディスプレイ６のタッチパネルを操作してもアプリケーションソフトプログラムは何ら応答せず、誤操作による動作を防止することができる。
［実施の形態２］
上記実施の形態１では、各受信機５の座標位置変換部３４においてキャリブレーションを実行しているが、各受信機５では実行せずに、送信機３に座標位置変換部３４の機能を持たせ、送信機３においてキャリブレーションを実行する構成とする。このとき、各ＰＣ画像表示エリア４のタッチパネル付きディスプレイ６のタッチパネル毎のキャリブレーションデータは、受信機５の座標位置記憶部３５に予め設定し、受信機５において、入力されたタッチ座標データのキャリブレーションデータを求め、タッチ座標データおよび求めたキャリブレーションデータを対として送信機３へ送信し、送信機において、受信したキャリブレーションデータに基づいて、受信したタッチ座標データをキャリブレーションし、ＰＣ１へ出力する。ＰＣ１は、キャリブレーションされた調整済みタッチ座標データを、前記アプリケーションソフトウェアプログラムの操作データとして認識する。各受信機５の座標位置変換部３４は不要となる。
【００４９】
この構成によれば、送信機３において、各タッチパネル付きディスプレイ６のタッチパネルのタッチ座標データがキャリブレーションされることにより、ＰＣ１においてキャリブレーションを行う必要がなくなり、各タッチパネル付きディスプレイ６のタッチパネルから入力したタッチ座標データを各ディスプレイ上の座標に合わせて正確に認識できる。またＰＣ１は、どこのタッチパネル付きディスプレイ６から入力した操作データかを認識しなくて済み、さらにタッチパネル付きディスプレイ６に取り付けられるタッチパネルのメーカや機種が違って混在しても、ＰＣ１の動作に影響がでることを回避することができる。さらにＰＣ画像表示エリア４毎に設置される受信機５の構成を簡略化でき、コストの削減を期待できる。
［実施の形態３］
上記実施の形態１では、各受信機５の座標位置変換部３４においてキャリブレーションを実行しているが、各受信機５では実行せずに、ＰＣ１にてキャリブレーションを実行する構成とする。このとき、各ＰＣ画像表示エリア４のタッチパネル付きディスプレイ６のタッチパネル毎のキャリブレーションデータは、受信機５の座標位置記憶部３５に予め設定し、ＰＣ１の起動時に、各受信機５に設定されたキャリブレーションデータを送信機３を介してＰＣ１に格納する。各受信機５は、入力したタッチ座標データをそのまま調整せずに、受信機５毎に予め設定されたＩＤを付して送信機３を介してＰＣ１へ送信し、ＰＣ１では、タッチ座標データに付されたＩＤにより発信元のＰＣ画像表示エリア４を判断し、このＰＣ画像表示エリア４のタッチパネル付きディスプレイ６のキャリブレーションデータに基づいて、送信されてきたタッチ座標データをキャリブレーションし、キャリブレーションした調整済みタッチ座標データを、アプリケーションソフトウェアプログラムの操作データ（指令データ）と認識する。各受信機５の座標位置変換部３４は不要となる。
【００５０】
この構成によれば、ＰＣ１に予め、タッチパネル付きディスプレイ６のタッチパネルのタッチ座標データのキャリブレーションデータを設定する必要をなくすことができ、ＰＣ１を取り替えることになっても作業者の手間を省くことができる。またＰＣ画像表示エリア４毎に設置される受信機５の構成を簡略化でき、コストの削減を期待できる。
［実施の形態４］
上記実施の形態１では、各受信機５に有効／無効設定部３６を設けて各受信機５においてタッチ座標データをＰＣ１へ送信するのかしないのか予め設定しているが、実行するアプリケーションソフトウェアプログラムに応じてＰＣ１から画像信号とともに、有効／無効の設定信号を各受信機５へ送信し、各受信機５毎に、ＰＣ１より調整済タッチ座標データをＰＣ１へ送信するのかしないのか（有効か無効か）を設定する構成とする。このとき、前記設定信号は、各受信機毎に予め設定されたＩＤを付して送信し、各受信機５の通信回線入出力部３１において、付されたＩＤにより設定信号が自身の設定信号かどうかを判断し、自身の設定信号のとき、図２に２点破線で示すように、その有効／無効をタッチ情報入出力部３３を介して有効／無効設定部３６に設定する。
【００５１】
この構成によれば、アプリケーションソフトウェアプログラムに基づいてＰＣ１より各調整済タッチ座標データをＰＣ１へ送信するのかしないのか設定することができ、アプリケーションソフトウェアプログラムが変更となる毎に、各受信機５において有効／無効設定部３６の設定を変更する必要がなくなり、手間を省くことができ、さらに無効とされるタッチパネル付きディスプレイ６のタッチパネルは操作してもアプリケーションソフトプログラムは何ら応答せず、誤操作によりアプリケーションソフトウェアプログラムが動作することを防止することができる。
［実施の形態５］
上記実施の形態１では、各受信機５に有効／無効設定部３６を設けて各受信機５においてタッチ座標データをＰＣ１へ送信するのかしないのか予め設定しているが、各受信機５において設定せずに、送信機３に、各受信機５毎の有効／無効設定部３６を設け、送信機３において、送信されてきた調整済タッチ座標データを有効か無効かを判断する構成とする。このとき、各受信機５は、タッチ座標データが有効か無効かの判断をせずに、調整済タッチ座標データに受信機５毎に予め設定されたＩＤを付して送信機３へ送信し、送信機３にて、調整済タッチ座標データに付されたＩＤにより調整済タッチ座標データの発信元を確認し、調整済タッチ座標データが有効か無効かを判断し、有効な場合にＰＣ１へ出力する。各受信機５の有効／無効設定部３６は不要となる。
【００５２】
この構成によれば、送信機３において各受信機５より受信した調整済タッチ座標データが、有効か無効かが判断されることにより、各受信機５の有効／無効設定部３６が不要となり、コストの削減を期待でき、さらに無効とされるタッチパネル付きディスプレイ６のタッチパネルは操作してもアプリケーションソフトプログラムは何ら応答せず、誤操作によるアプリケーションソフトウェアプログラムの動作を防止することができる。
【００５３】
またこの実施の形態５においても、実施の形態４と同様に、実行するアプリケーションソフトウェアプログラムに応じてＰＣ１から画像信号とともに、有効／無効の設定信号を送信機３へ送信し、送信機３において各受信機５毎にＰＣ１よりタッチ座標データをＰＣ１へ送信するのかしないのか（有効か無効か）を設定する構成とすることもできる。
［実施の形態６］
上記実施の形態１では、各受信機５に有効／無効設定部３６を設けて各受信機５においてタッチ座標データをＰＣ１へ送信するのかしないのか予め設定しているが、各受信機５において設定せずに、ＰＣ１において、実行するアプリケーションソフトウェアプログラムに応じて、受信機５より送信されてきた調整済タッチ座標データが有効か無効かを判断する構成とする。このとき、ＰＣ１において実行するアプリケーションソフトウェアプログラムに応じて、各ＰＣ画像表示エリア４毎のタッチパネル付きディスプレイ６の操作データ（調整済タッチ座標データ）を受け付けるかどうか、すなわち調整済タッチ座標データを有効とするのか無効とするのかを設定する。また各受信機５は、タッチ座標データが有効か無効かの判断をせずに、調整済タッチ座標データに受信機５毎に予め設定されたＩＤを付してＰＣ１へ送信し、ＰＣ１にて、調整済タッチ座標データに付されたＩＤにより調整済タッチ座標データの発信元を確認し、調整済タッチ座標データが有効か無効かを判断する。各受信機５の有効／無効設定部３６は不要となる。
【００５４】
この構成によれば、ＰＣ１において各受信機５より受信したタッチ座標データが、有効か無効かが判断されることにより、アプリケーションソフトウェアプログラムが変更となる毎に、各受信機５において有効／無効設定部３６の設定の変更をする必要がなくなり、手間を省くことができ、さらに無効とされるタッチパネル付きディスプレイ６のタッチパネルは操作してもアプリケーションソフトプログラムは何ら応答せず、誤操作によるアプリケーションソフトウェアプログラムの動作を防止することができる。
【００５５】
またこの実施の形態６において、ＰＣ１に、各受信機５毎の有効／無効設定部３６を設け、ＰＣ１において、送信されてきた調整済タッチ座標データを有効か無効かを判断する構成とすることも可能である。このとき、各受信機５は、タッチ座標データが有効か無効かの判断をせずに、調整済タッチ座標データに受信機５毎に予め設定されたＩＤを付して送信機３を介してＰＣ１へ送信し、ＰＣ１にて、調整済タッチ座標データに付されたＩＤにより調整済タッチ座標データの発信元を確認し、調整済タッチ座標データが有効か無効かを判断し、有効な場合に、アプリケーションソフトウェアプログラムの操作データとして認識する。各受信機５の有効／無効設定部３６は不要となり、コストの削減を期待できる。
［他の形態の開示］
Ａ．本実施の形態１〜６では、各ＰＣ画像表示エリア４のタッチパネル付きディスプレイ６のタッチパネル毎のキャリブレーションデータを、受信機５の座標位置記憶部３５に予め設定しているが、送信機３に、各ＰＣ画像表示エリア４のタッチパネル付きディスプレイ６のタッチパネル毎のキャリブレーションデータを設定し、送信機３においてキャリブレーションを実行することも可能である。このとき、各受信機５は、入力したタッチ座標データをそのまま調整せずに、受信機５毎に予め設定されたＩＤを付して送信機３へ送信し、送信機３では、タッチ座標データに付されたＩＤにより発信元のＰＣ画像表示エリア４を判断し、このＰＣ画像表示エリア４のタッチパネル付きディスプレイ６のキャリブレーションデータに基づいて、送信されてきたタッチ座標データをキャリブレーションし、ＰＣ１へ出力する。各受信機５の座標位置変換部３４と座標位置記憶３５は不要となる。
【００５６】
この構成によれば、送信機３において、各タッチパネル付きディスプレイ６のタッチパネルのタッチ座標データが予め設定されたキャリブレーションデータに基づいてキャリブレーションされることにより、ＰＣ１においてキャリブレーションを行う必要がなくなり、各タッチパネル付きディスプレイ６のタッチパネルから入力したタッチ座標データを各ディスプレイ上の座標に合わせて正確に認識できる。またＰＣ１は、どこのタッチパネル付きディスプレイ６から入力した操作データかを認識しなくて済み、さらにタッチパネル付きディスプレイ６に取り付けられるタッチパネルのメーカや機種が違って混在しても、ＰＣ１の動作に影響がでることを避けることができる。さらにＰＣ画像表示エリア４毎に設置される受信機５の構成を簡略化でき、コストの削減を期待できる。
【００５７】
Ｂ．本実施の形態１〜６では、送信機３から、ＰＣ１からの画像信号のみを受信機５へ送信しているが、ディジタルのデータ、例えば、スイッチのオン・オフのデータを画像信号に添付して、受信機５へ送信するようにすることができる。したがって、受信機５側では、受信したディジタルのデータに基づいてシーケンスを実行できる。例えば、受信機５にランプを接続するとき、入力したスイッチのオン・オフのデータに従って、ランプを点灯したり、消灯したりすることができる。
【００５８】
Ｃ．本実施の形態１〜６では、複数の受信機５を一般ＬＡＮのＨＵＢ９を使用したスター接続としているが、デイジーチェーン接続とすることも可能である。
Ｄ．本実施の形態１〜６では、ＬＡＮケーブル８に接続された受信機５にＰＣ１より画像を配信しているが、ＬＡＮを超えてインターネットに接続された受信機５に対してＰＣ１より画像を配信するようにすることもできる。
【図面の簡単な説明】
【００５９】
【図１】本発明の実施の形態におけるＰＣ画像配信設備の構成図である。
【図２】同ＰＣ画像配信設備の受信機の制御ブロック図である。
【図３】同ＰＣ画像配信設備の受信機の動作を説明するフローチャートである。
【符号の説明】
【００６０】
１    ＰＣ
２ａ  ディスプレイ
３    送信機
４    ＰＣ画像表示エリア
５    受信機
６    タッチパネル付きディスプレイ
８    ＬＡＮケーブル
１１  ＰＣのビデオコネクタ
１２  送信機のＶＧＡコネクタ
１３，１６，２３  ＶＧＡケーブル
１４  送信機のモニターコネクタ
１５  ディスプレイのモニターコネクタ
１７  ＰＣのＤ−ＳＵＢコネクタ
１８  送信機のＤ−ＳＵＢコネクタ
１９，２６  ＲＳ−２３２Ｃケーブル
２０  送信機のＬＡＮコネクタ
２１  受信機のモニターコネクタ
２２  ディスプレイのモニターコネクタ
２４  受信機のＤ−ＳＵＢコネクタ
２５  タッチパネル付きディスプレイのＤ−ＳＵＢコネクタ
２７  受信機のＬＡＮコネクタ
３１  通信回線入出力部
３２  画像情報出力部
３３  タッチ情報入出力部
３４  座標位置変換部
３５  座標位置記憶部
３６  有効／無効設定部
【図１】
0004864027.tif 000002
【図２】
0004864027.tif 000003
【図３】
0004864027.tif 000004